(57)【要約】【課題】ダンパの着脱作業を容易に行うことができるダンパユニット、それを用いた開閉器の操作装置および開閉器を得る。【解決手段】ダンパユニット１０は、衝撃を吸収するダンパ１が取付けられたダンパ装着部１１と、ダンパ装着部１１と同一側に設けられた取付部１２Ａ、１２Ｂと、ダンパ装着部１１の反対側に設けられ、ダンパ１の吸収方向と直交する取付面１３とを有するダンパ取付具１５を備えている。ダンパユニット１０は取付部１２Ａ、１２Ｂにそれぞれ設けられた取付具固定孔１２ａ、１２ｂを貫通する取付具固定ボルト９０ａ、９０ｂにより開閉器の操作装置に取付けられる。【選択図】図７
2015230753.tif 000002
【特許請求の範囲】
【請求項１】
衝撃を吸収するダンパが取付けられたダンパ装着部と、前記ダンパ装着部と同一側に設けられた取付部と、前記ダンパ装着部の反対側に設けられ、前記ダンパの吸収方向と直交する取付面とを有する取付部材
を備えたことを特徴とするダンパユニット。
【請求項２】
前記取付部材は、前記ダンパ装着部が前記取付部より突出して形成されていることを特徴とする請求項１に記載のダンパユニット。
【請求項３】
前記取付部材は、前記ダンパ装着部が前記取付部と面一に形成されていることを特徴とする請求項１に記載のダンパユニット。
【請求項４】
前記取付部は、前記ダンパ装着部を中心として対称に配置されていることを特徴とする請求項１から３いずれかに１項に記載のダンパユニット。
【請求項５】
前記取付部は、前記ダンパ装着部の一側に並設されていることを特徴とする請求項１から３いずれかに１項に記載のダンパユニット。
【請求項６】
前記取付部は、取付用孔を有していることを特徴とする請求項１から５いずれか１項に記載のダンパユニット。
【請求項７】
前記取付部の一方は取付用孔を有し、他方は回転止め用ピンを有していることを特徴とする請求項１から５いずれか１項に記載のダンパユニット。
【請求項８】
前記取付部材は、前記取付用孔を貫通する締結部材によって取付けられることを特徴とする請求項６または７いずれかに記載のダンパユニット。
【請求項９】
前記ダンパ装着部に、複数のダンパが取付けられていることを特徴とする請求項１から８いずれか１項に記載のダンパユニット。
【請求項１０】
前記ダンパは、前記ダンパ装着部に螺合されていることを特徴とする請求項１から９いずれか１項に記載のダンパユニット。
【請求項１１】
請求項１から１０いずれか１項に記載のダンパユニットを備え、このダンパユニットにより接点開閉動作に伴う衝撃を緩和することを特徴とする開閉器の操作装置。
【請求項１２】
請求項１１に記載の開閉器の操作装置を備えたことを特徴とする開閉器。
【発明の詳細な説明】
【技術分野】
【０００１】
本発明は、開閉器の開閉動作に伴う衝撃を緩和するダンパユニット、それを用いた開閉器の操作装置および開閉器に関するものである。
【背景技術】
【０００２】
従来の開閉器の操作装置に用いられるダンパは、その外周部に設けられたねじにより取付板に対して直接取付けているものがあった（例えば、特許文献１参照）。
【先行技術文献】
【特許文献】
【０００３】
【特許文献１】特開平７−２４５０４６号公報
【発明の概要】
【発明が解決しようとする課題】
【０００４】
このようなダンパでは、ダンパの径に応じた工具を用いて着脱を行う必要があるため、ダンパの径が大きい場合は、大型の工具を用いて着脱作業を行わなければならず、作業スペースによっては工具の取り回しも悪くなり、着脱作業に困難を来していた。
【０００５】
本発明は、上述のような問題を解決するためになされたもので、狭い保守空間しか確保できないスイッチギヤにおいても、ダンパの着脱作業を容易に行うことができるダンパユニット、それを用いた開閉器の操作装置および開閉器を得るものである。
【課題を解決するための手段】
【０００６】
本発明に係るダンパユニットにおいては、衝撃を吸収するダンパが取付けられたダンパ装着部と、このダンパ装着部と同一側に設けられた取付部と、ダンパ装着部の反対側に設けられ、ダンパの吸収方向と直交する取付面とを有する取付部材を備えたものである。
【発明の効果】
【０００７】
本発明によれば、ダンパの径の大きさに応じた工具を用いることなく、着脱作業を容易に行うことができる。
【図面の簡単な説明】
【０００８】
【図１】本発明を適用したスイッチギヤの側断面図である。
【図２】図１のＸ−Ｘ方向に見た正面断面図である。
【図３】図２のＹ−Ｙ方向に見た平面断面図である。
【図４】本発明の実施の形態１を示す三相開閉器の操作装置の上面図である。
【図５】本発明の実施の形態１を示す三相開閉器の操作装置の側面図である。
【図６】図５のＡ−Ａ断面図である。
【図７】本発明の実施の形態１を示すダンパユニットの斜視図である。
【図８】本発明の実施の形態２を示すダンパユニットの斜視図である。
【図９】本発明の実施の形態２を示す開閉器の操作装置の上面図である。
【図１０】図９のＢ−Ｂ断面図である。
【図１１】図１０のＣ−Ｃ断面図である。
【図１２】本発明の実施の形態３を示すダンパユニットの斜視図である。
【図１３】本発明の実施の形態３を示す開閉器の操作装置の上面図である。
【図１４】本発明の実施の形態３を示す開閉器の操作装置の側面図である。
【図１５】図１１のＤ−Ｄ断面図である。
【図１６】本発明の実施の形態４示すダンパユニットの斜視図である。
【発明を実施するための形態】
【０００９】
実施の形態１．
以下に、本発明の実施の形態１を図１乃至図７に基づいて説明する。
【００１０】
図１乃至図３において、スイッチギヤ５００は、その外箱５０１内にそれぞれ内部に絶縁ガスを封入した上部タンク５０２、下部タンク５０３を備えている。上部タンク５０２の上部には、三相の水平母線５０４がスイッチギヤ５００の横方向に延在して配置されている。遮断器５０６は、その絶縁物性のフレーム５０７の内部に電流遮断部である固定接点（図示せず）と可動接点（図示せず）を内蔵した真空バルブ５０８を内部に保持している。ケーブル５１０はスイッチギヤ５００の外部の負荷に接続されている。接続導体５１１ａ、５１１ｂ、５１１ｃ、５１１ｄは、水平母線５０４からケーブル５１０に至る各機器を接続している。また、操作装置１００は遮断器５０６の真空バルブ５０８の可動接点（図示せず）を図１において左右方向に駆動する。操作装置５２０、５２１はそれぞれ断路器５０５、５０９の操作装置である。なお、通常の受電設備の場合、図２、図３に示すように３台以上のスイッチギヤ５００を横方向に並置して構成している。
【００１１】
また図４乃至図７において、開閉器の操作装置１００は各相（Ａ相、Ｂ相、Ｃ相とする）に対応した操作装置１００Ａ、１００Ｂ、１００Ｃを有している。そして、各相の操作装置１００Ａ、１００Ｂ、１００Ｃは操作機構１０１Ａ、１０１Ｂ、１０１Ｃをそれぞれ有している。各相の操作機構は支柱１１０Ａ〜１４０Ａ、１１０Ｂ〜１４０Ｂ、１１０Ｃ〜１４０Ｃを介して共通の操作機構取付サポート１０２に支持されている。各相の操作機構１０１Ａ、１０１Ｂ、１０１Ｃからは可動軸１０３Ａ、１０３Ｂ、１０３Ｃがそれぞれ操作機構取付サポート１０２を貫通し、各相の可動接点（図示せず）とそれぞれ連結している。各相の可動軸１０３Ａ、１０３Ｂ、１０３Ｃには制動板１０５Ａ、１０５Ｂ、１０５Ｃがそれぞれ設けられている。各相の操作機構１０１Ａ、１０１Ｂ、１０１Ｃには、各相の制動板１０５Ａ、１０５Ｂ、１０５Ｃと対向して開極動作用のダンパユニット１０がそれぞれ取付けられている。また、操作機構取付サポート１０２には、各相の制動板１０５Ａ、１０５Ｂ、１０５Ｃと対向して閉極動作用のダンパユニット１０が取付けられている。
【００１２】
次に、ダンパユニット１０について説明する。図７（ａ）は本実施の形態を示すダンパユニットの斜視図、図７（ｂ）はこれにおけるダンパユニットのダンパの斜視図であり、図７（ｃ）は取付部材としてのダンパ取付具の斜視図である。ダンパユニット１０は、ダンパ軸１ａの軸方向に衝撃を吸収するダンパ１が取付けられたダンパ取付具１５を備えている。ダンパ１は、例えばオイルダンパである。
【００１３】
ダンパ取付具１５は、ダンパ固定用ねじ部１１ａが設けられたダンパ装着部１１と、このダンパ装着部１１と同一側に設けられ、取付用孔としての取付具固定孔１２ａ、１２ｂをそれぞれ有している取付部１２Ａ、１２Ｂと、ダンパ装着部１１と反対側に設けられ、ダンパ１の吸収方向と直交する方向に形成された取付面１３を有している。ダンパ装着部１１は取付部１２Ａ、１２Ｂよりも突出しており、取付部１２Ａ、１２Ｂはダンパ装着部１１を中心として対称に配置されている。
【００１４】
ダンパ装着部１１のダンパ固定用ねじ部１１ａにはダンパ１の外周に設けられたねじ部１ｂが螺合されており、ダンパ１の作用距離はダンパ固定用ナット８０の位置によって調整される。
【００１５】
上記のような構成であるダンパユニット１０は、取付具固定孔１２ａ、１２ｂを貫通する締結部材としての取付具固定ボルト９０ａ、９０ｂにより、各相の開閉器の操作機構１０１Ａ、１０１Ｂ、１０１Ｃもしくは操作機構取付サポート１０２に取付けられる。なお、ダンパユニット１０は、図３における取付具固定ボルト９０ａ、９０ｂと各支柱のなす角度θａが、締付工具の操作に必要な角度以上であるように配置されている。例えば、取付具固定ボルト９０ａ、９０ｂが六角ボルトの場合、θａは６０°以上であればよい。
【００１６】
次に、動作について説明する。図４、図５に示すような開極状態から閉極動作が行われた場合、各相の可動軸１０３Ａ、１０３Ｂ、１０３Ｃにそれぞれ設けられた制動板１０５Ａ、１０５Ｂ、１０５Ｃは操作機構取付サポート１０２に取付けられた閉極動作用のダンパユニット１０のダンパ軸１ａを軸方向にそれぞれ押圧する。その結果、閉極動作用のダンパユニット１０は制動板１０５Ａ、１０５Ｂ、１０５Ｃから受ける衝撃をそれぞれ吸収し、制動板１０５Ａ、１０５Ｂ、１０５Ｃおよび可動軸１０３Ａ、１０３Ｂ、１０３Ｃをそれぞれ減速する。逆に、閉極状態から開極動作が行われた場合は、各相の可動軸１０３Ａ、１０３Ｂ、１０３Ｃにそれぞれ設けられた制動板１０５Ａ、１０５Ｂ、１０５Ｃは操作機構１０１Ａ、１０１Ｂ、１０１Ｃにそれぞれ取付けられた開極動作用のダンパユニット１０のダンパ軸１ａを軸方向にそれぞれ押圧する。その結果、開極動作用のダンパユニット１０は制動板１０５Ａ、１０５Ｂ、１０５Ｃから受ける衝撃をそれぞれ吸収し、制動板１０５Ａ、１０５Ｂ、１０５Ｃおよび可動軸１０３Ａ、１０３Ｂ、１０３Ｃをそれぞれ減速する。このようにして、各相に設けられたダンパユニット１０が各相の制動板を介して開閉動作に伴う衝撃を吸収し緩和することで、衝撃による開閉器の損傷を防ぐことができる。
【００１７】
次に、ダンパ１の着脱動作について説明する。ダンパ１は図１、図３、図４乃至図６に示すように操作装置１００に内蔵されているが、操作装置１００は、図２、図３に示すように各スイッチギヤ５００内では三相回路の各相に対応して３個の操作装置１００Ａ、１００Ｂ、１００Ｃが併設され、さらに複数のスイッチギヤ５００を併設して受電設備を構成している。図２、図３からわかるように、各操作装置１００Ａ、１００Ｂ、１００Ｃの間隔は、縦方向、横方向ともに密接した状態で設置されている。このため、操作装置１００の点検や補修などで分解する必要が生じても、操作装置１００Ａ、１００Ｂ、１００Ｃの周囲には十分な保守用の空間が無いのが普通である。このスイッチギヤ５００では、図２において操作装置１００の上方の空間が保守用の空間としている。
まず、ダンパ１をダンパ取付具１５のダンパ装着部１１に取付け、ダンパユニット１０を構成する。この時、ダンパ１をダンパ固定用ナット８０により仮固定しておく。
【００１８】
次に、このダンパユニット１０の取付面１３を、各相の操作機構１０１Ａ、１０１Ｂ、１０１Ｃもしくは操作機構取付サポート１０２の、各相の制動板１０５Ａ、１０５Ｂ、１０５Ｃに対向する面に当接させる。そして、取付部１２Ａ、１２Ｂに設けられた取付具固定孔１２ａ、１２ｂを貫通する取付具固定ボルト９０ａ、９０ｂを各相の操作機構１０１Ａ、１０１Ｂ、１０１Ｃもしくは操作機構取付サポート１０２に設けられたねじ穴（図示せず）に螺合することで各相の操作機構１０１Ａ、１０１Ｂ、１０１Ｃもしくは操作機構取付サポート１０２に取付ける。この後、ダンパ１の作用距離を調整し、ダンパ固定用ナット８０によりダンパ１を固定する。このようにして、ダンパ１をダンパ取付具１５を用いて各相の操作機構１０１Ａ、１０１Ｂ、１０１Ｃもしくは操作機構取付サポート１０２取付ける。ダンパ１を取外す場合は、取付具固定ボルト９０ａ、９０ｂを取外してダンパユニット１０ごと取外せばよい。
【００１９】
なお、ダンパ１の作用距離の調整は、ダンパユニット１０を各相の操作機構１０１Ａ、１０１Ｂ、１０１Ｃもしくは操作機構取付サポート１０２に取付ける前に行ってもよい。
【００２０】
上記実施の形態１によれば、ダンパの着脱をダンパ装着部と取付部とを有する取付部材を用いて行っているので、ダンパの径が大きい場合でもダンパの径に応じた工具を用いることなく、着脱作業を容易に行うことができる。
【００２１】
また、着脱作業には大型の工具を用いる必要がないので、作業スペースが小さくなり、開閉器の操作装置周辺の集積率の向上や開閉器の操作装置全体の小型化を図ることができる。
【００２２】
また、取付部材の取付面はダンパの吸収方向と直交しているので、開閉動作に伴う衝撃によって取付具固定ボルトに加わるせん断力は小さくなり、取付具固定ボルトとして小さなボルトを用いることができる。このため、使用する工具も小さくすることができ、工具の取り回しも良い。
【００２３】
また、ダンパユニットの取付作業は作用距離の調整作業と独立して行えるので、作用距離の調整作業はダンパユニットごと取外した状態で実施できる。このため、ダンパの径が大きい場合でも作業中の姿勢や作業スペースの制約にとらわれることはなく作用距離の調整作業を容易に行うことができる。
【００２４】
なお、実施の形態１では遮断器５０６用のダンパについて説明したが、遮断器用に限定されるものではなく、遮断器や通常の開閉器、断路器などを含む概念としての開閉器一般に適用することができるものである。
【００２５】
実施の形態２．
次に、本発明の実施の形態２を図８乃至図１１に基づいて説明する。なお、図８乃至図１１において、図４乃至図７と同一または相当部分には同一符号を付している。
【００２６】
図８（ａ）は本発明の実施の形態２を示すダンパユニットの斜視図であり、図８（ｂ）はこれにおけるダンパユニットのダンパ取付具の斜視図である。実施の形態１では２つの取付具固定ボルト９０ａ、９０ｂを用いたが、実施の形態２では、一方の取付部１２Ａは取付具固定ボルト９０ａを用い、他方は取付部２２に設けられたと回転止め用ピン２２ａを用いてダンパユニット２０を開閉器の操作機構２０１もしくは操作機構取付サポート２０２に取付けている。この場合、ダンパユニット２０は、開閉器の操作機構２０１および操作機構取付サポート２０２に設けられた回転止め用ピン穴２０１ａまたは２０２ａに回転止め用ピン２２ａを嵌合した状態で取付具固定用ボルト９０ａを用いてそれぞれ取付けられる。なお、ダンパユニット２０は、図８における取付具固定ボルト９０ａと各支柱１１０Ａ〜１４０Ａのなす角度θｂおよびθｃが、締付工具の操作に必要な角度以上であるように配置されている。例えば、取付具固定ボルト９０ａが六角ボルトの場合、θｂおよびθｃは６０°以上である。
【００２７】
上記実施の形態２によれば、実施の形態１と比べて取付ける取付具固定ボルトが少なくなるので、着脱にかかる作業時間も短縮することができ、しかも、作業スペースの制約を小さくすることができる。
【００２８】
実施の形態３．
次に、本発明の実施の形態３を図１２乃至図１５に基づいて説明する。なお、図１２乃至図１５において、図４乃至図７と同一または相当部分には同一符号を付している。
【００２９】
図１２（ａ）は本発明の実施の形態３を示すダンパユニットの斜視図であり、図１２（ｂ）はこれにおけるダンパユニットのダンパ取付具の斜視図である。実施の形態３ではダンパ装着部２１に２つのダンパ固定用ねじ部２１ａ、２１ｂが設けられており、２つのダンパ１Ａ、２Ａが取付けられている。なお、ダンパユニット３０は、図１５における取付具固定ボルト９０ａ、９０ｂと各支柱１１０Ａ〜１４０Ａのなす角度θｄが、締付工具の操作に必要な角度以上となるように配置されている。例えば、取付具固定ボルト９０ａ、９０ｂが六角ボルトの場合、θｄは６０°以上である。
【００３０】
上記実施の形態３においても、上記実施の形態１と同じ効果に加えて、２つのダンパを同時に着脱できるので、作業時間の短縮も図ることができる。
【００３１】
実施の形態４．
次に、本発明の実施の形態４を図１６に基づいて説明する。なお、図１６において、図７と同一または相当部分には同一符号を付している。また、開閉器の操作装置への取付けについては、上記実施の形態と同様であるので説明は省略する。
【００３２】
図１６（ａ）は本発明の実施の形態４を示すダンパユニットの斜視図であり、図１６（ｂ）はこれにおけるダンパユニットのダンパ取付具の斜視図である。実施の形態１から実施の形態３において、ダンパ取付具は、ダンパ装着部が取付部よりも突出しており、取付部はダンパ装着部を中心として対称に配置されていたが、実施の形態４におけるダンパユニット４０のダンパ取付具４５は、ダンパ固定用ねじ部３１ａが設けられたダンパ装着部３１が、取付部３２Ａ、３２Ｂと面一に設けられおり、さらに取付部３２Ａおよび３２Ｂはダンパ装着部３１の一側に並設されている。
【００３３】
上記実施の形態４によれば、取付部がダンパ装着部の一側に並設されているので、締付作業のための作業スペースの制約を小さくすることができる。
【００３４】
また、ダンパ装着部と取付部を面一に形成しているので、ダンパ取付具の加工が容易である。
【００３５】
なお、実施の形態４のダンパユニットのダンパ取付具は、ダンパ装着部と取付部が面一に形成され、かつ取付部がダンパ装着部の一側に並設に配置されているが、ダンパ装着部が取付部より突出し、かつ取付部がダンパ装着部の一側に並設される構成にしてもよい。また、ダンパ装着部が取付部と面一に形成され、かつ取付部がダンパ装着部を中心として対称に配置される構成でもよい。
【符号の説明】
【００３６】
１、１Ａ、１Ｂ  ダンパ、１ａ  ダンパ軸、１０、２０、３０、４０  ダンパユニット、１１、２１、３１  ダンパ装着部、１２Ａ、１２Ｂ、２２、３２Ａ、３２Ｂ  取付部、１２ａ、１２ｂ、３２ａ、３２ｂ  取付具固定孔、２２ａ  回転止め用ピン、１３  取付面、１５、２５、３５、４５  ダンパ取付具、９０ａ、９０ｂ  取付具固定ボルト、１００  三相開閉器の操作装置、１００Ａ、１００Ｂ、１００Ｃ、２００、３００  開閉器の操作装置、５０６  遮断器（開閉器）
【図１】
2015230753.tif 000003
【図２】
2015230753.tif 000004
【図３】
2015230753.tif 000005
【図４】
2015230753.tif 000006
【図５】
2015230753.tif 000007
【図６】
2015230753.tif 000008
【図７】
2015230753.tif 000009
【図８】
2015230753.tif 000010
【図９】
2015230753.tif 000011
【図１０】
2015230753.tif 000012
【図１１】
2015230753.tif 000013
【図１２】
2015230753.tif 000014
【図１３】
2015230753.tif 000015
【図１４】
2015230753.tif 000016
【図１５】
2015230753.tif 000017
【図１６】
2015230753.tif 000018